(57)【要約】【課題】食器篭において、食器篭の底面が床等と接触しても食器篭の食器支持部に施されたコーティングは剥離せず、食器の洗浄等に影響しないようにする。【解決手段】食器篭１は、食器支持部の前面側支柱１６の上端１６ａと上枠２とを連結するために、上枠２に支柱１６の上端１６ａを挿入できる円筒状部材３０が取り付けられ、支柱１６の上端１６ａに雌ネジが設けられ、支柱１６の上端１６ａが円筒状部材３０の一方の穴から挿入され、他方の穴からボルト３１が挿入され、ボルト３１の雄ネジ部分３１ａが支柱１６の上端１６ａの雌ネジと結合されて、食器支持部の支柱１６は上枠２と連結される。この構成により、食器篭１の底面が床等と接触しても、食器支持部に施されたコーティングは剥離しない。また、コーティングが施された食器支持部は、食器篭１から取り外すことができるため、その交換が可能である。【選択図】図５
2014090771.tif 000002
【特許請求の範囲】
【請求項１】
収納される食器の積み重ね方向を上下方向としたとき、上方端及び下方端に位置し、かつ、１辺が食器の外形よりも大きい食器篭の外郭を規制する、平面視略矩形状の上枠及び下枠と、これら上枠及び下枠の間を連結し、かつ、積み重ね収納される食器の外縁を少なくとも３点で支持するコーティングされた支柱より構成される食器支持部と、を備えた食器篭であって、
前記上枠は、４辺のうちの食器篭前面となる１辺が上面及び前面に対して食器を出し入れするための空間を形成するように一部開口し、当該開口を形成するためにその両コーナー部より中央寄り位置において切断された開口端部を有しており、
前記食器支持部のうちの少なくとも１本の前面側支柱は食器篭の内側に向かってコ字状に折り曲げられ、
前記下枠は、４辺のうちの食器篭前面となる１辺が前記前面側支柱の下端に連結されており、前記食器支持部のうちの少なくとも１本の後面側支柱の上端及び下端が前記上枠及び下枠の各後面となる１辺に連結され、
前記１本の前面側支柱の上端に雌ネジ又は雄ネジが設けられ、
前記上枠の開口端部に前記前面側支柱の上端を挿入できる円筒状部材が取り付けられ、前記前面側支柱の上端に設けられた雌ネジ又は雄ネジを前記円筒状部材の一方の穴から挿入し、前記円筒状部材の他方の穴から前記とは別の雄ネジ又は雌ネジを前記雌ネジ又は雄ネジに結合させることにより前記前面側支柱が前記上枠に連結されることを特徴とする食器篭。
【請求項２】
前記円筒状部材は、その長手方向が前記切断された上枠の１辺とそれぞれ平行に取り付けられ、前記円筒状部材に挿入される前記前面側支柱の上端は前記円筒状部材の長手方向に一致するように直角に折り曲げられていることを特徴とする請求項１に記載の食器篭。
【請求項３】
前記コーティングはナイロンコーティングであることを特徴とする請求項１又は請求項２に記載の食器篭。
【請求項４】
食器を収納するための食器篭において、
前記食器篭の外形を形成する食器の外形よりも大きい食器篭の外形を規制する矩形の外枠と、
前記外枠の上枠及び下枠との間に連結され、かつ、積み重ね収納される食器の外縁を少なくとも３点で支持するコーティングされた支柱より構成される食器支持部と、
を備え、
前記上枠の１辺は食器を出し入れするために中央寄り位置に開口を有し、
前記上枠に連結される少なくとも１本の前記食器支持部の支柱の上端に雌ネジ又は雄ネジを設け、
前記上枠に前記食器支持部の支柱の上端を挿入できる円筒状部材を設け、前記食器支持部の支柱の上端に設けられた雌ネジ又は雄ネジを前記円筒状部材の一方の穴から挿入し、前記円筒状部材の他方の穴から前記とは別の雄ネジ又は雌ネジを前記雌ネジ又は雄ネジに取り付けて前記食器支持部と前記上枠とを連結することを特徴とする食器篭。
【発明の詳細な説明】
【技術分野】
【０００１】
本発明は、学校や会社等の給食施設で使用される食器篭の構造に関する。
【背景技術】
【０００２】
従来より、この種の食器篭においては、収納される食器が食器篭の金属部分に触れて、メタルマークと呼ばれる黒ずみが食器に発生し易い。これを防止するために、ナイロン等のコーティングを食器篭に施すことが知られている。しかし、食器篭は、運搬される際に食器篭の底面が床等と接触するため、食器篭に施されたコーティングが剥離する虞がある。その剥離対策として、食器篭の底面が直接床等に接触しないように、保護部材や保護板が食器篭の底面に取り付ることが知られている（特許文献１参照）。また、ナイロン等のコーティングが施された内枠と、コーティングされていない外枠とで食器篭を構成し、食器が収納される内枠のコーティングが剥離しないようにした食器篭が知られている（特許文献２参照）。
【先行技術文献】
【特許文献】
【０００３】
【特許文献１】特開２００３−１２６００６号公報
【特許文献２】特開２００５−８７４０２号公報
【発明の概要】
【発明が解決しようとする課題】
【０００４】
しかしながら、上記特許文献１に示されるような食器篭は、保護部材や保護板が食器篭に取り付けられるため、食器篭全体が大きくなり自動洗浄機に投入できないことがある。また、食器篭に取り付けられた保護部材や保護板によって、洗浄水を直接噴射できない死角が発生して、食器洗浄に支障が生じることがある。上記特許文献２に示されるような食器篭は、食器篭が内枠と外枠とで形成されるため、その構造が複雑で、かつ、食器篭の重量が大きくなる。
【０００５】
本発明は、上記課題を解決するものであって、食器篭の底面が床等と接触しても収納された食器が接触する部分に施されたコーティングが剥離せず、食器篭の構造が簡単で、かつ、食器篭の重量増加に影響しない食器篭を提供することを目的とする。
【課題を解決するための手段】
【０００６】
上記課題を解決するため、本発明は、収納される食器の積み重ね方向を上下方向としたとき、上方端及び下方端に位置し、かつ、１辺が食器の外形よりも大きい食器篭の外郭を規制する、平面視略矩形状の上枠及び下枠と、これら上枠及び下枠の間を連結し、かつ、積み重ね収納される食器の外縁を少なくとも３点で支持するコーティングされた支柱より構成される食器支持部と、を備えた食器篭であって、前記上枠は、４辺のうちの食器篭前面となる１辺が上面及び前面に対して食器を出し入れするための空間を形成するように一部開口し、当該開口を形成するためにその両コーナー部より中央寄り位置において切断された開口端部を有しており、前記食器支持部のうちの少なくとも１本の前面側支柱は食器篭の内側に向かってコ字状に折り曲げられ、前記下枠は、４辺のうちの食器篭前面となる１辺が前記前面側支柱の下端に連結されており、前記食器支持部のうちの少なくとも１本の後面側支柱の上端及び下端が前記上枠及び下枠の各後面となる１辺に連結され、前記１本の前面側支柱の上端に雌ネジ又は雄ネジが設けられ、前記上枠の開口端部に前記前面側支柱の上端を挿入できる円筒状部材が取り付けられ、前記前面側支柱の上端に設けられた雌ネジ又は雄ネジを前記円筒状部材の一方の穴から挿入し、前記円筒状部材の他方の穴から前記とは別の雄ネジ又は雌ネジを前記雌ネジ又は雄ネジに結合させることにより前記前面側支柱が前記上枠に連結される。
【０００７】
また、上記の食器篭において、前記円筒状部材は、その長手方向が前記切断された上枠の１辺とそれぞれ平行に取り付けられ、前記円筒状部材に挿入される前記前面側支柱の上端は前記円筒状部材の長手方向に一致するように直角に折り曲げられていることが望ましい。
【０００８】
また、上記の食器篭において、前記コーティングはナイロンコーティングであることが望ましい。
【０００９】
また、本発明は、食器を収納するための食器篭において、前記食器篭の外形を形成する食器の外形よりも大きい食器篭の外形を規制する矩形の外枠と、前記外枠の上枠及び下枠との間に連結され、かつ、積み重ね収納される食器の外縁を少なくとも３点で支持するコーティングされた支柱より構成される食器支持部と、を備え、前記上枠の１辺は食器を出し入れするために中央寄り位置に開口を有し、前記上枠に連結される少なくとも１本の前記食器支持部の支柱の上端に雌ネジ又は雄ネジを設け、前記上枠に前記食器支持部の支柱の上端を挿入できる円筒状部材を設け、前記食器支持部の支柱の上端に設けられた雌ネジ又は雄ネジを前記円筒状部材の一方の穴から挿入し、前記円筒状部材の他方の穴から前記とは別の雄ネジ又は雌ネジを前記雌ネジ又は雄ネジに取り付けて前記食器支持部と前記上枠とを連結する。
【発明の効果】
【００１０】
本発明の食器篭によれば、収納された食器が食器篭に接触する部分にコーティングが施され、コーティングが施されていない食器篭の外枠の内側にコーティングが施された部分が連結されるため、食器篭の底面が床等と接触しても、食器篭のコーティングは剥離しない。また、コーティングが施された部分は、食器篭から取り外すことが可能であるため、コーティングが施された部分の交換が容易である。さらに、食器篭の外枠とコーティングが施された部分の連結箇所は、強度があり、食器篭の美観を損なわない。
【図面の簡単な説明】
【００１１】
【図１】本発明の第１の実施形態に係る食器篭に食器を収納した状態を示した斜視図。
【図２】同食器篭に食器を収納していない状態を示した斜視図。
【図３】同食器篭に食器を収納して食器蓋が後面に収納された状態を示した斜視図。
【図４】同食器篭に食器を収納した状態で食器蓋を引き出した状態を示した斜視図。
【図５】図１のＡ部分の拡大斜視図。
【図６】（ａ）は同食器篭の支柱の正面図、（ｂ）は同食器篭の支柱の左側面図。
【図７】同食器篭の支柱の連結部分を示した分解斜視図。
【図８】図１のＢ部分を分解した拡大斜視図。
【図９】本発明の第２の実施形態に係る食器篭の支柱の連結部分を示した分解斜視図。
【図１０】本発明の第３の実施形態に係る食器篭の斜視図。
【図１１】図１０のＣ部分の拡大斜視図。
【図１２】図１０のＣ部分を分解した上面図。
【図１３】本発明の第４の実施形態に係る食器篭の斜視図。
【図１４】図１２のＤ部分の拡大斜視図。
【図１５】図１２のＤ部分を分解した上面図。
【発明を実施するための形態】
【００１２】
(第１の実施形態）
本発明の第１の実施形態に係る食器篭について、図１乃至図８を参照して説明する。ここでは、食器篭の構成と食器の収納について説明し、その後に収納した食器を支持する前面側支柱と食器篭の上枠との連結について説明する。
【００１３】
図１において、食器篭１は、収納される食器５の積み重ね方向を上下方向としたとき、上方端及び下方端に位置し、１辺が食器５の外形よりも大きい食器篭１の外郭を規制する、平面視略矩形状の上枠２と下枠３とを備えている。食器篭１の略中央部には積み重ねられた食器５が、食器篭１の底面に設けられた食器底板６に載せられている。図２において、食器篭１の食器底板６は食器篭１の底面の略中央に位置し、２本の食器底板受け棒７で支えられている。２本の食器底板受け棒７は、左右両側面に設けられた複数の貫通穴９を備える固定具受け板８の所定の貫通穴９に挿入され、食器底板６を支持している。食器底板６は、食器底板受け棒７の挿入位置を変更することにより、上下方向の位置を変更することが可能となっている。食器底板６の位置は、食器篭１に収納され積み重ねられた食器５の最上面と食器篭１の上枠２で形成される上面との隙間が常に一定になるように変更される。これにより、食器篭１に収納された食器は、食器洗浄機で均一に洗浄される。なお、食器洗浄機での食器５の洗浄は、前面側支柱１６，１７のある食器篭１の前面を上にして洗浄機に設置し、上部から洗浄水を食器５に吹き付ける。これにより食器篭１の前面は死角が少ないため、食器５に洗浄水が直接噴射され、洗浄水が食器５全体に流動し、食器５を均一に洗浄できる。なお、洗浄水は上部から吹き付けることに限定されるものでなく、食器篭１を洗浄機に掲置する方向によって、食器篭１の前面に洗浄水を吹き付ければよい。食器篭１の上面と食器５の最上面との隙間は例えば、１０〜２０ｍｍとして、食器５は洗浄水の水圧で１枚ずつ離間しながら洗浄される。
【００１４】
汁受け１０は、食器篭１の左側面全体を覆うように設けられている。この汁受け１０は、運搬時に食器５が収納された食器篭１の左側面が下側になるように傾けられたとき、食器５からこぼれる残汁等を保持するために設けられている。
【００１５】
食器篭１の後面側に２本の後面側支柱１１が配置され、その上端１１ａが食器篭１の上枠２に連結され、下端１１ｂが下枠３に連結されている。後面側支柱１１は、Ｌ字状をなし、ナイロンコーティングが施されている。なお、後面側支柱１１の上端１１ａは、上枠２に溶接された取付板１２ａを介して上枠２に連結され、下端１１ｂは下枠３に溶接された取付板１２ｂを介して連結されている。また、食器蓋１３は、後面側支柱１１より後側に配置され、食器篭１の後面に収納されている。また、食器篭１の外枠を規制する上枠２と下枠３と、上枠２と下枠３とを接続する連結部材４は、電解研磨がなされており、コーティングは施されていない。なお、コーティングはナイロンコーティングに限定されるものではなく、ポリプロピレンやポリエチレンのコーティング等メタルマークの発生を防止できるものであればよい。
【００１６】
食器篭１の上枠２の前面の１辺は、上面及び前面に対して食器５を出し入れするための空間を形成するように一部開口しており、この１辺は開口１４を形成するためにその両コーナー部より中央寄り位置において切断された開口端部２ａを有している。２本の前面側支柱１６，１７は、食器篭１の内側に向かってコ字状に折り曲げられ、上端１６ａ，１７ａはさらに上枠２の前面の１辺に平行に９０度折り曲げられている。この２本の前面側支柱１６，１７の上端１６ａ，１７ａと下端１６ｂ，１７ｂは、それぞれ上枠２及び下枠３に連結されている。上述の２本の前面側支柱１６，１７と２本の後面側支柱１１は、食器篭１に積み重ねて収納される食器５の外縁を支持する食器支持部を構成する。２本の前面側支柱１６，１７と上枠２との連結手段については、後に詳しく説明する。
【００１７】
図３において、食器５が食器篭１に収納され、食器蓋１３は食器篭１の後面に収納されている。食器蓋１３を閉じるために、食器蓋１３は、食器蓋１３の下端１３ａ（図２参照）が上枠２に接触するまで上方に引き上げられ、図４において、食器蓋１３は食器篭１の前方に倒される。食器蓋１３の両側部材１３ｂの間隔は、２本の前面側支柱１６，１７の間隔より狭く、かつ、食器蓋１３を構成する部材は復元性がある部材で構成されている。両側部材１３ｂの先端部１３ｃは、それぞれ側面方向にＬ字状に折り曲げられ、さらに上方に折り曲げられている。食器蓋１３の両側部材１３ｂの先端部１３ｃは、下方に押し下げられ、さらに両側部材１３ｂが左右に広げられて、前面側支柱１６,１７の食器蓋係止部１６ｃ、１７ｃに挿入される。挿入された先端部１３ｃは、上方に折り曲げられているため、前面側支柱１６，１７の間隔を狭くする方向に付勢し、さらに前面側支柱１６，１７を食器篭１の上方向に付勢し、前面側支柱１６,１７の食器蓋係止部１６ｃ、１７ｃにしっかりと係止される。なお、食器底板６、食器蓋１３は食器１と接触する部分であるため、メタルマークの発生を予防するためナイロンコーティングが施されている。
【００１８】
次に、前面側支柱１６，１７の上端１６ａ，１７ａ及び下端１６ｂ，１７ｂの連結方法について図５乃至図７を参照して説明する。これらの図において、前面側支柱１６は上枠２に連結されている。円筒状部材３０は上枠２の左側の開口端部２ａに溶接されており、雌ネジが設けられた前面側支柱１６の上端１６ａは、円筒状部材３０の一方の穴に挿入され、他方の穴からボルト３１の雄ネジ部分３１ａが挿入され、雌ネジが設けられた前面側支柱１６の上端１６ａとボルト３１の雄ネジ部分３１ａとが結合されて、前面側支柱１６が上枠２に連結される。また、食器蓋１３の先端部１３ｃは、食器蓋係止部１６ｃに係止される。
【００１９】
前面側支柱１６は、上端１６ａに雌ネジ部分１６ｄ及び下端１６ｂに同じく雌ネジ部分１６ｅを備える。また、前面側支柱１６は、中央部がコ字状に折り曲げられ、上端１６ａが前面側支柱１６の長手方向と直交する方向にさらに折り曲げられ、前面側支柱１６の雌ネジ部１６ｂ、１６ｄを除く前面側支柱１６全体にナイロンコーティングが施されている。このナイロンコーティングは、前面側支柱１６に接触する食器へのメタルマークの付着を防止する。また、前面側支柱１７は、前面側支柱１６と左右対称の形状を成している。
【００２０】
次に、前面側支柱１６と下枠３の固定方法について説明する。図８において、下枠３の前面側支柱１６の下端１６ｂとの連結箇所には、中央に貫通穴３２ａが設けられた連結板３２が下枠３に溶接されている。ボルト３３は溶接された連結板３２の貫通穴３２ａに挿入され、前面側支柱１６の下端１６ｂはボルト３３に結合され、前面側支柱１６が下枠２に連結される。なお、前面側支柱１７の上枠２と下枠３との連結は、前面側支柱１６の上枠２と下枠３との連結と同じ手段であるため、その説明を省略する。また、実施形態１では、後面側支柱１１を２本用いて食器５を支持することを示したが、後面側支柱１１と後面側支柱１１との中間位置に後面側支柱１１を１本設ければ、食器５の支持は、前面側支柱１６,１７の２本と後面側支柱１１の１本との計３本で可能である。逆に、前面側支柱１は１本とし、後面側支柱１１を２本とした場合でも食器５の支持は可能である。すなわち、例えば、前面側は前面側支柱１６のみとした場合、食器篭１の上面から見て、食器篭１に収納される食器５の中心を中点とし、前面側支柱１６と２本の後面側支柱１１の合計３本の支柱１６，１１で形成されるそれぞれの内角が１８０度以下になるように支柱１６，１１を配置すれば、前面側支柱１６，１７のいずれか１本と後面側支柱１１の２本で、食器５の支持ができる。
【００２１】
以上のように、本実施形態の食器篭によれば、収納された食器が接触する前面側支柱１６，１７は、ナイロンコーティングが施され、コーティングが施されていない食器篭の外枠の内側に連結されるため、食器篭の底面が床等と接触しても、食器篭の前面側支柱１６，１７のコーティングは剥離しない。また、コーティングが施された前面側支柱１６，１７は、食器篭から取り外すことが可能であるため、前面側支柱１６，１７に施されたナイロンコーティングが食器５と擦れて剥離した場合にも、交換が容易である。さらに、食器篭の外枠とコーティングが施された前面側支柱１６，１７の連結箇所は、円筒状部材３０が上枠２の開口端部２ａに平行に溶接されているため前面側支柱１６，１７と上枠２との連結は強度を有する。
【００２２】
また、前面側支柱１６，１７と上枠２との連結部分は、前面側支柱１６，１７の上端１６ａ，１７ａが円筒状部材３０に挿入され、前面側支柱１６，１７に施されたナイロンコーティングの端部が露出しないため、食器篭の美観を損なわず、ナイロンコーティングの端部の剥離を防止できる。また、前面側支柱１６，１７と上枠２との連結は、溶接による連結でないため、前面側支柱１６，１７に施されたナイロンコーティングが溶接による熱で溶け、美観を損ねることもない。さらに、前面側支柱１６，１７と上枠２との連結が容易であるため食器篭１の組立が簡単である。収納する食器の外径が変わったときには、新たに食器篭１を作成する必要はなく、食器篭１の内側に向かってコ字状に折り曲げられた前面側支柱１６，１７の折り曲げ部分の寸法を変更することにより、その対応も可能となる。
【００２３】
(第２の実施形態）
本発明の第２の実施形態に係る食器篭４０について、図９を参照して説明する。食器篭４０は食器篭１の変形例である。ここでは、前面側支柱４１，４２と上枠２との連結は、前面側支柱４１，４２の上端４１ａ，４２ａにそれぞれ雄ねじを設け、この雄ネジ部分４１ｄ，４２ｄを円筒状部材３０の一方の穴から挿入し、円筒状部材３０の他方の穴から突出した雄ネジ部分４１ｄ，４２ｄに雌ネジ部分４３ａを有するナット４３を結合して、前面側支柱４１，４２と上枠２とを連結する。実施形態１との違いは、実施形態１では前面側支柱１６，１７の上端１６ａ，１７ａに雌ネジを設けて上枠２と連結したが、本実施形態では、前面側支柱４１，４２の上端４１ａ，４２ａに雄ネジを設けて上枠２と連結する。前面側支柱４１，４２の上端４１ａ，４２ａに雌ネジまたは雄ネジを設けるかは、食器篭１、４０の強度との関係で、適切な態様を選択すればよい。
【００２４】
(第３の実施形態）
本発明の第３の実施形態に係る食器篭５０について、図１０乃至図１２を参照して説明する。ここでは、前面側支柱５１，５２と上枠２との連結は、延長ボルト５３を用いて前面側支柱５１，５２と上枠２とを連結する。図１０乃至図１２において、延長ボルト５３は一端に雌ネジ部分５３ａと他端に雄ネジ部分５３ｂを備える。上枠２の左側開口端部２ａは、ボルト５４を挿入するために、ボルト挿入部５５が設けられている。ボルト挿入部５５は、開口端部２ａを圧迫して押し広げ、中央に貫通穴を設けることによって作成される。他の作成方法として、ボルト挿入部５５は、貫通穴が設けられた板体を開口端部２ａに溶接して作成してもよい。また、前面側支柱５１はナイロンコーティングされ、前面側支柱５１の上端５１ａは、折り曲げず、前面側支柱５１は全体としてＬ字の形状を成す。前面側支柱５１の上端５１ａは、延長ボルト５３の他端にある雄ネジ部分５３ｂと結合するために、雌ネジ部分５１ｂが食器篭５０の後面方向に向かって設けられている。前面側支柱５１の上端５１ａは、延長ボルト５３の雄ネジ部分５３ｂが挿入されて延長ボルト５３と前面側支柱５１ａとが結合する。その後、ボルト５４がボルト挿入部５５へ挿入されて、延長ボルト５３とボルト５４とが結合され、前面側支柱５１は上枠２に連結される。また、前面側支柱５２も前面側支柱５１と同様にナイロンコーティングされ、前面側支柱５２と上枠２との連結方法も、前面側支柱５１と上枠２との連結手段と同じであるためその説明を省略する。なお、食器蓋１３の先端１３ｃは、延長ボルト５３に係止される。
【００２５】
以上のように、本実施形態の食器篭５０によれば、収納された食器５が接触する前面側支柱５１，５２は、ナイロンコーティングが施され、コーティングが施されていない食器篭５０の外枠の内側に連結されるため、食器篭５０の底面が床等と接触しても、食器篭５０の前面側支柱５１，５２のコーティングは剥離しない。また、コーティングが施された前面側支柱５１，５２は、食器篭５０から取り外すことが可能であるため、コーティングが施された前面側支柱５１，５２の交換が容易である。さらに、食器篭５０の外枠と前面側支柱５１，５２は、延長ボルト５３を介して上枠２とで連結されているため、前面側支柱５１，５２と上枠２との結合は強度を有する。また、前面側支柱５１，５２と上枠２との連結は、溶接による連結でないため、前面側支柱５１，５２に施されたナイロンコーティングが溶接による熱で溶けることがない。
【００２６】
(第４の実施形態）
本発明の第４の実施形態に係る食器篭６０について、図１３乃至図１５を参照して説明する。ここでは、前面側支柱と上枠との連結は、取付ボルトを用いて連結する。図１３において、上枠２の左側と右側の１辺は、取付ボルト６３を固定するための固定板６４が溶接されている。図１４及び図１５において、固定板６４は中央に貫通穴６４ａが設けられている。また、前面側支柱６１はナイロンコーティングが施され、前面側支柱６１の上端６１ａは、折り曲げず、全体としてＬ字の形状を成す。前面側支柱６１の上端６１ａは、雌ネジ６１ｂが食器篭６０の前面と平行な方向に設けられている。
【００２７】
取付ボルト６３の一端６３aは雌ネジが設けられ、取付ボルト６３の他端６３ｂには雄ネジが設けられている。取付ボルト６３の他端６３ｂは、前面側支柱６１の雌ネジ６１ｂと結合され、次に、ボルト６５が固定板６４の貫通穴６４ａに挿入されて、ボルト６５が取付ボルト６３の一端６３ａに結合され、取付ボルト６３が固定板６４に固定される。これにより、前面側支柱６１は上枠２と連結される。
【００２８】
また、上枠２の両側の開口端部２ａは、それぞれ前面側支柱６１，６２に接触するように食器篭６０の後面方向に折り曲げられる。これにより、食器蓋１３の先端１３ｃは、この折り曲げられた開口端部２ａに係止される。なお、前面側支柱６２と上枠２との連結手段は、前面側支柱６１と上枠２との連結手段と同様であるため、その説明を省略する。
【００２９】
以上のように、本実施形態の食器篭６０によれば、収納された食器が接触する前面側支柱６１，６２は、ナイロンコーティングが施され、コーティングが施されていない食器篭の外枠の内側に連結されるため、食器篭６０の底面が床等と接触しても、食器篭６０の前面側支柱６１，６２のコーティングは剥離しない。また、コーティングが施された前面側支柱６１，６２は、食器篭６０から取り外すことが可能であるため、前面側支柱６１，６２の交換が容易である。さらに、食器篭６０の外枠とコーティングが施された前面側支柱６１，６２は、取付ボルト６３を介して上枠２と連結されるため、前面側支柱６１，６２と上枠２との結合は強度を有する。また、前面側支柱６１，６２と上枠２との連結は、溶接による連結でないため、前面側支柱６１，６２に施されたナイロンコーティングが溶接による熱で溶けることがない。
【符号の説明】
【００３０】
１  食器篭
２  上枠
２ａ  開口端部
３  下枠
５  食器
１１  後面側支柱
１４  開口
１６，１７，５１，５２，６１，６２  前面側支柱
１６ａ，１７ａ，５１ａ，５２ａ，６１ａ，６２ａ  上端
１６ｄ、１７ｄ，４３ａ  雌ネジ部分
３０  円筒状部材
３１ａ，４１ｄ、４２ｄ  雄ネジ部分
【図１】
2014090771.tif 000003
【図２】
2014090771.tif 000004
【図３】
2014090771.tif 000005
【図４】
2014090771.tif 000006
【図５】
2014090771.tif 000007
【図６】
2014090771.tif 000008
【図７】
2014090771.tif 000009
【図８】
2014090771.tif 000010
【図９】
2014090771.tif 000011
【図１０】
2014090771.tif 000012
【図１１】
2014090771.tif 000013
【図１２】
2014090771.tif 000014
【図１３】
2014090771.tif 000015
【図１４】
2014090771.tif 000016
【図１５】
2014090771.tif 000017